(57)【要約】【課題】汎用性が高く、収納の際に手間がかからない、収納物固定機能を備えた収納箱を提供する。【解決手段】収納箱１を、収納箱本体１０と、収納箱本体１０の収納空間内にあって対向する一対の挟持体２０と、収納箱本体１０と挟持体２０に設けられたベルト挿通孔１２ａ、２２ａを通してこれらに掛け渡されるベルト３０と、中敷４０とから構成する。この収納箱１内にテレビ受像機５０を固定する際には、バックル３２の調節機構を操作してベルト３０の長さを調節し、挟持体２０を操作して相互に接近または離反させ、収納物５０を挟持体２０で挟み込んで動かないようにするため手間がかからない。また、テレビ受像機５０等の収納物の大きさに応じて、挟持体２０間の距離を適宜調節すればよいため、様々な形状およびサイズの物品の収納に対応可能である。【選択図】図３
2007230612.tif 000002
【特許請求の範囲】
【請求項１】
底壁と、底壁周縁から立ち上がる周壁と、底壁と周壁とで囲まれる収納空間の開口を閉塞可能な頂壁とからなる収納箱本体と、この収納箱本体の収納空間内に配置され、収納物を挟み込んで固定する複数の挟持体と、挟持体間の距離を調節可能な調節手段とを有する収納箱。
【請求項２】
上記調節手段は、長さ調節機能を有するベルトであり、このベルトを、上記挟持体と、挟持体の収納物外面への当接面と対向する上記収納箱本体の壁面との間に掛け渡し、ベルトの長さを短くすることで、挟持体をベルトが掛け渡された壁面側へ引き寄せ、ベルトの長さを長くすることで、挟持体のベルトが掛け渡された壁面側への引き寄せを解除し、これにより挟持体間の距離を調節可能とした請求項１に記載の収納箱。
【請求項３】
上記ベルト挟持体および収納箱本体にベルト挿通孔を設け、挟持体および収納箱本体に掛け渡されたベルトをこのベルト挿通孔に挿通させた請求項２に記載の収納箱。
【請求項４】
上記収納物は液晶式テレビ受像機であり、上記挟持体の液晶式テレビ受像機外面への当接面に、液晶式テレビ受像機外面に沿う凹凸を形成した請求項１から３のいずれかに記載の液晶式テレビ受像機用収納箱。
【発明の詳細な説明】
【技術分野】
【０００１】
この発明は、その収納空間内に、収納物が動かないように固定する機能を備えた収納箱、特に液晶式テレビ受像機の収納に好適な収納箱に関する。
【背景技術】
【０００２】
液晶式テレビ受像機をはじめとする電化製品や、美術品などは、衝撃に弱く壊れやすいため、従来は引越し等の運搬の際には、気泡シートに包んだ上で収納箱に収納し、隙間に詰め物を充填して収納箱内で動かないようにしていた。
【０００３】
しかし、このような作業は、非常に手間がかかり、また詰め物を大量に用い無駄が多い。そのため、時間や手間を省き、資源の無駄使いを節減すべく、手早く梱包でき、無駄の少ない包装箱が考案されている。
【０００４】
例えば、特許文献１には、収納物の外面に沿うように、表面に凹凸が形成された緩衝材を収納空間内に備えた収納箱が開示されている。
このような収納箱に収納物を収納する際には、緩衝材の凹凸に収納物をはめ込むことで手早く動かないように固定することができ、また、詰め物を箱全体に充填する場合に比べて無駄が少ない。
【０００５】
しかし、このような緩衝材は、特定の物品の形状に対応して作製されているため、それ以外の物品を収納する際に用いるのは困難であり、汎用性に欠ける問題がある。
また、このように汎用性に欠けるため、収納物の種類に応じて、いちいち緩衝材を詰め替えせねばならず、その場合には、依然として手間がかかる問題が解消されない。
【特許文献１】特開２００５−３１３９４２号公報
【発明の開示】
【発明が解決しようとする課題】
【０００６】
そこでこの発明は、汎用性が高く、収納の際に手間がかからない、収納物固定機能を備えた収納箱を提供することをその課題とする。
【課題を解決するための手段】
【０００７】
上記した課題を解決するため、この発明にかかる収納箱を、底壁と、底壁周縁から立ち上がる周壁と、底壁と周壁とで囲まれる収納空間の開口を閉塞可能な頂壁とからなる収納箱本体と、この収納箱本体の収納空間内に配置され、収納物を挟み込んで固定する複数の挟持体と、挟持体間の距離を調節可能な調節手段とから構成したのである。
【０００８】
収納物の固定は、収納物を収納箱本体の収納空間に入れて挟持体の間に載置し、調節手段により、挟持体間の距離を縮めていき、挟持体で挟み込むことによるため、手間がかからず簡単である。
また、この場合、収納物の大きさに応じて、挟持間の距離を調節手段により適宜調節すればいいので、様々な収納物に用いることができ、汎用性が非常に高い。
【０００９】
より具体的には、調節手段を、長さ調節機能を有するベルトとし、このベルトを挟持体と、挟持体の収納物外面への当接面と対向する収納箱本体の壁面との間に掛け渡し、ベルトの長さを短くすることで、挟持体をベルトが掛け渡された壁面側へ引き寄せ、ベルトの長さを長くすることで、挟持体のベルトが掛け渡された壁面側への引き寄せを解除し、これにより挟持体間の距離を調節可能とする構造が簡単であり、製造コストも低廉であるため好ましい。
【００１０】
ベルト挟持体および収納箱本体にベルト挿通孔を設け、挟持体および収納箱本体に掛け渡されたベルトをこのベルト挿通孔に挿通させると、収納箱本体と挟持体とがばらばらにならないように簡単に連結することができる。
【００１１】
このような収納箱に収納する収納物としては、液晶式テレビ受像機が好適であり、挟持体の液晶式テレビ受像機外面への当接面に、液晶式テレビ受像機外面に沿う凹凸を形成するとよい。
このようにすれば、挟持体で液晶式テレビ受像機を挟み込んだ際に、その外面によくフィットするため、無理なくしっかりと固定できる。
【発明の効果】
【００１２】
相互の距離を調節可能な挟持体により、収納物を挟み込む構成を採用したため、収納物の固定に手間がかからず、また、様々な大きさや形状の収納物に対応することができる。
【発明を実施するための最良の形態】
【００１３】
以下、図面を参照しつつ、この発明の実施の形態について説明する。図２から図５は、実施形態にかかる収納箱１に、収納物である液晶式テレビ受像機５０が収納されている状態を示す。
図１から図５のように、収納箱１は、収納箱本体１０と、挟持体２０と、ベルト３０と、中敷４０とからなる。
【００１４】
図１のように、収納箱本体１０は、方形の底壁１１と、その周縁からほぼ垂直に立ち上がる前周壁１２および後周壁１３および側周壁１４と、後周壁１３の上縁にその後端が回動可能に連結された頂壁１５とからなる。
前周壁１２および後周壁１３には、同じ位置に方形のベルト挿通孔１２ａ，１３ａが３つずつ設けられており、それらの中央下部にあるものは、ベルト３０を鉛直方向に挿通させるためのものであるため横長であり、その両側やや上部にあるものは、ベルトを水平方向に挿通させるためのものであるため縦長である。
また、頂壁１５は底壁１１とほぼ相似形であるが、その先端にほぼ垂直に垂下するフラップ部１５ａを有する点が異なり、このフラップ部１５ａは、頂壁１５を回動させて収納箱本体１０の開口を閉塞した際に、その内面が前周壁１２外面に当接するようになっている。
ここで、前周壁１２の上縁には、面ファスナ１２ｂが並列して取り付けられており、フラップ部１５ａの内面の対応する位置には、面ファスナ１２ｂと雌雄一対をなす面ファスナ１５ｂが取り付けられており、これら面ファスナ１２ｂ、１５ｂ同士を着脱させることで、開口の閉塞および開放がワンタッチで可能となっている。
また、側周壁１４の上側中央には、収納箱１をつかんで持ち運びやすい様に把持孔１４ａが設けられており、手を傷つけないように、また持ちやすいように、孔１４ａ外縁にはリング状プレートがはめ込まれている。
また、周壁１２〜１４上縁の四隅には、補強のため、またデザイン性の向上のため、さらには頂壁１５の開口への位置合わせが容易となるように、平面視Ｌ字型のプレートがはめ込まれている。
【００１５】
図１のように、対向する一対の挟持体２０は、弾性挟持部２１と、ベルト固定部２２とからなる。
弾性挟持部２１は、テレビ受像機５０外面に当接する部分であって、テレビ受像機５０を傷つけないように、スポンジ等の弾性素材から形成されており、ほぼブロック状の形状をしている。
この挟持体２０の弾性挟持部２１のテレビ受像機５０に当接する側の面には、テレビ受像機５０の側面外形に対応して１／４円柱状に窪んだ凹所２１ａが設けられている。
ベルト固定部２２は、中央パネルとその両側からほぼ垂直に延びる側部パネルとからなる平面視コの字型のパネルであって、側部パネルは中央パネルよりも上下方向（鉛直方向）に長く、中央パネルは弾性部２１よりも上下方向に長く形成されており、この中央パネルの上部に、弾性挟持部２１の当接面の背面が接着剤等を介して固着されている。
そして、弾性挟持部２１と、側部パネルとは固着されていないため、図示のように隙間が形成可能になっている。
また、側部パネル中央やや上側には、ベルト３０を水平方向に挿通させるための縦長方形のベルト挿通孔２２ａが１つずつ設けられている。
【００１６】
図１のように、中敷４０は緩衝性を有する素材からなる厚みの均一な板状体であって、収納箱本体１０の下方からの衝撃を吸収するため、その底壁１１内面に敷かれ、この上に液晶式テレビ受像機５０が載置される。
図示のように、中敷４０の前後方向の長さは、中程の前後に突出した突出部を除いて、収納箱本体１０の奥行き（前周壁１２と後周壁１３との距離）よりも短く形成されているため、底壁１１内面に中敷４０を敷くと、収納空間において、中敷４０と前周壁１２および中敷４０と後周壁１３との間に、間口方向（一方側周壁１４から他方側周壁１４方向）に走るレール状の隙間が形成される。
そして、中敷４０の上に挟持体２０を置く際に、この隙間に挟持体２０のベルト固定部２２の側部パネル下部をはめ込むと、挟持体２０はこのレール状隙間に案内されて、収納箱本体１０内において、間口方向にスムーズにスライド可能となる。
なお、この中敷４０の突出部に切り欠きを設けてもよく、そのようにすると、収納物の収納空間における位置合わせの際の目印となるため便利である。
【００１７】
図２から図５のように、ベルト３０は、フレキシブルなベルト本体３１と、ベルト本体３１両端部に取り付けられた雌雄一対のバックル３２とからなり、このバックル３２相互の連結により、ベルト本体３１両端は連結されて環状となっている。
また、このバックル３２は、ベルト３０の長さを自在に調節可能な周知の調節機構を有する。
これらは図示のように、前周壁１２および後周壁１３のベルト挿通孔１２ａ、１３ａを通じて収納箱本体１０から挟持体２０にかけて水平方向に２本、鉛直方向に１本巻き回されている。
詳しくは、この水平方向の２本のベルト３０はそれぞれ、図２から図４のように、収納箱本体１０の側周壁１４外面に巻き回されたものが、前周壁１２、後周壁１３のベルト挿通孔１２ａ、１３ａを通じて収納箱本体１０の内部に引き入れられ、ベルト３０を巻き回した側周壁１４と対向する側周壁１４に近接する側の挟持体２０における上述した弾性挟持部２１とベルト固定部２２の側部パネルとの隙間を通り、側部パネルのベルト挿通孔２２ａから引き出され、ベルト固定部２２の中央パネルの外面に巻き回されている。
そのため、２本の水平方向のベルト３０は、収納箱本体１０と挟持体２０との間に掛け渡された状態で、これらを連結し、図４のように収納箱本体１０の内部において交差して対称形に巻き回されている。
また、バックル３２は、後述する操作を容易とするため、図示のように収納箱本体１０の外部に配置されている。ただし、収納箱１の省スペース化を優先するならば、収納箱本体１０の内部に配置してもよい。
ここで、図４からわかるように、バックル３２の長さ調節機構を操作してベルト３０の長さを短く（ベルト３０からなる環状体を小さく）してゆくと、挟持体２０は、ベルト３０を巻き回した側周壁１４側に引き寄せられることにより、中敷４０前後の溝状の隙間に案内されて収納箱本体１０の内側に向かってスライドし、挟持体２０間の距離が縮まるようになっている。
逆にベルト３０の長さを長く（ベルト３０からなる環状体を大きく）していくと、ベルトを巻き回した側周壁１４への引き寄せが緩められるため、挟持体２０の可動範囲が広がり、挟持体２０間の距離を広げることが可能となる。
かくして、バックル３２の調節機構を操作してベルト３０の長さを調節することにより、挟持体２０相互を自由に接近および離反させることが可能である。
また、鉛直方向のベルト３０は、図２、図３、図５のように、収納箱本体１０の底壁１１外面に巻き回されたものが、前周壁１２、後周壁１３のベルト挿通孔１２ａ、１３ａを通じて収納箱本体１０の内部に引き入れられており、バックル３２は収納箱１を床に置く際に邪魔にならないように、収納箱本体１０の内部に配置されている。
なお、鉛直方向のベルト３０のベルト本体３１両端部に取り付けられた雌雄一対のバックル３２は、収納物を収納空間に入れる際には、邪魔にならないように連結が解除されており、収納後に連結するものとする。
【００１８】
収納箱１に液晶式テレビ受像機５０を収納する際には、まず、挟持体２０間の距離を十分に広げた状態で、収納箱本体１０の収納空間に液晶式テレビ受像機５０を入れて中敷４０上に載置する。
つぎに、上述したようにバックル３２の長さ調節機構を操作して水平方向に巻き回されたベルト３０の長さを徐々に短くして挟持体２０をスライドさせ、挟持体２０間の距離を縮めていき、テレビ受像機５０の外側面に挟持体２０を当接させる。
この状態で、さらにベルト３０を縮めると、テレビ受像機５０が挟持体２０に強く挟み込まれ、収納空間内において、水平方向に動かないように固定される。
このとき、上述したように挟持体２０の弾性部２１の当接面には、テレビ受像機５０の側面外形に対応した凹所２１ａが設けられているため、テレビ受像機５０をしっかりと保持し、ずれ動き等が生じるのを防いでいる。
また、図５のように、鉛直方向に巻き回されたベルト３０のベルト本体３１をテレビ受像機５０の鉛直方向中央外面に巻いたうえでバックル３２を連結し、このバックル３２の長さ調節機構を操作してベルト３０を縮めると縦方向にも動かないように固定される。
このようにして、バックル３２の操作のみでテレビ受像機５０を手間も時間もかからず簡単に固定することができる。
【００１９】
なお、この実施形態では、収納物を液晶式テレビ受像機５０としたが収納物はこれに限られない。例えば美術品など、様々な物品を壊れないように固定し、搬送するのにこの収納箱１は好適であり、非常に汎用性が高い。
また、挟持体２０の個数およびベルト３０の本数は、この実施形態に限定されることはないが、挟持体２０およびベルト３０は少ないほうが扱いやすく、また挟持体２０は、対向している場合がもっとも挟み込んで固定しやすいことは無論である。
収納箱本体１０や、挟持体２０のベルト固定部２２の素材は、プラスチックプレート、プラスチックダンボール、ダンボール、厚紙などさまざまなものが考えられ、特には限定されないが、丈夫なものが好ましい。
また、収納箱本体１０の形状も、実施形態に限定されることはなく、たとえば円柱形箱や多角柱形箱などでもよい。
【図面の簡単な説明】
【００２０】
【図１】収納箱の分解斜視図
【図２】収納箱の一部切り欠き斜視図
【図３】収納箱の一部切り欠き正面図
【図４】図３におけるＡ−Ａ拡大断面図
【図５】図３におけるＢ−Ｂ拡大断面図
【符号の説明】
【００２１】
１  収納箱
１０  収納箱本体
１１  底壁
１２  前周壁
１２ａ  ベルト挿通孔
１２ｂ  面ファスナ
１３  後周壁
１３ａ  ベルト挿通孔
１４  側周壁
１４ａ  把持孔
１５  頂壁
１５ａ  フラップ部
１５ｂ  面ファスナ
２０  挟持体
２１  弾性挟持部
２１ａ  凹所
２２  ベルト固定部
２２ａ  ベルト挿通孔
３０  ベルト
３１  ベルト本体
３２  バックル
４０  中敷
５０  液晶式テレビ受像機
【図１】
2007230612.tif 000003
【図２】
2007230612.tif 000004
【図３】
2007230612.tif 000005
【図４】
2007230612.tif 000006
【図５】
2007230612.tif 000007